(57)【要約】【課題】天板に保持された表示物をインテリアアートとして、設置場所を限定されず、自由に飾ることができ、しかも簡易机としての機能を損なうことなく、独自の自立構造を有し、転倒しにくいものとした多機能簡易トレイを提供する。【解決手段】天板１の表面に、表示物２を保持するようにした保持体３を設けたものとし、天板１の裏面に、移動可能な充填物４を充填することによって変形可能とした袋体５を設け、この袋体５の内部において、前記天板１を自立可能な状態にする支持脚６をこの天板１の裏面に設けたものとしている。【選択図】図４
2014018991.tif 000002
【特許請求の範囲】
【請求項１】
天板（１）の表面に、表示物（２）を保持するようにした保持体（３）を設けたものとし、天板（１）の裏面に、移動可能な充填物（４）を充填することによって変形可能とした袋体（５）を設け、この袋体（５）の内部において、前記天板（１）を自立可能な状態にする支持脚（６）をこの天板（１）の裏面に設けたことを特徴とする多機能簡易トレイ。
【請求項２】
前記支持脚（６）を、一本の棒状体（１３）とし、この棒状体（１３）の一端を天板（１）の裏面に取り付け、前記棒状体（１３）の他端を支持部としたことを特徴とする請求項１記載の多機能簡易トレイ。
【請求項３】
前記支持脚（６）を略く字状に折曲した板状体（１４）とし、この板状体（１４）の上半部（１４ａ）を天板（１）の裏面に取り付け、前記板状体（１４）の下半部（１４ｂ）の下端を支持部としたことを特徴とする請求項１記載の多機能簡易トレイ。
【請求項４】
前記支持脚（６）を略Ｓ字状に折曲した板状体（１５）とし、この板状体（１５）の上部（１５ａ）を天板（１）の裏面に取り付け、前記板状体（１５）の下端縁（１５ｂ）を支持部としたことを特徴とする請求項１記載の多機能簡易トレイ。
【請求項５】
前記支持脚６を球状体（１６）とし、この球状体（１６）の前球面（１６ａ）を天板（１）の裏面に取り付け、前記球状体（１６）の下球面（１６ｂ）を支持部としたことを特徴とする請求項１記載の多機能簡易トレイ。
【請求項６】
前記支持脚（６）を天板（１）の裏面の中央下部に取り付けたことを特徴とする請求項１〜５の何れかに記載の多機能簡易トレイ。
【請求項７】
前記支持脚（６）を天板（１）の裏面の片端下部に取り付けたことを特徴とする請求項１〜５の何れかに記載の多機能簡易トレイ。
【請求項８】
前記支持脚（６）を天板（１）の裏面の両端下部に取り付けたことを特徴とする請求項１〜５の何れかに記載の多機能簡易トレイ。
【発明の詳細な説明】
【技術分野】
【０００１】
この発明は、膝の上などに載せて使用することができると共に、室内装飾物等としても使用することのできる多機能簡易トレイに関するものである。
【背景技術】
【０００２】
従来、袋状物に発泡ビーズなどの粒状物を入れたクッションを天板の下面に設置し、足の膝上などに置いても、天板が安定し、机として使用できる簡易机が存在した（特許文献１）。
【０００３】
さらに、前記したような簡易机の天板の上面に様々な意匠を施し、使用者の好みに合わせた意匠を楽しむことができるという機能を有した簡易机が存在した。この簡易机は、その意匠を生かして、テーブルとして使用するだけでなく、意匠を見えるように壁面に立てかけたり、ソファーの上に立てかけておいたりして、部屋のインテリアアートとして飾ることもできた（特許文献２）。
【０００４】
また、一般的に意匠を飾る物品としては、デジタル写真や印刷物の写真を入れたフォトフレーム等が存在する。壁にフォトフレームを飾るには、表示面の裏側に、壁につり下げるための構造としてつり下げ用の「ひも」や「フック」などの部品を設置し、壁面につり下げたり、壁に穴をあけて「取り付け部」を設け、その取り付け部に取り付けなければならなかった。さらに、フレーム自体を安定して飾るためにフレーム下部に位置する場所にフレームを受けるようにした「受け部」を、壁に穴をあけて設け、安定化させる必要もあった。しかしながら、住宅事情を考慮すると、賃貸住宅などでは、一般的に壁に穴等の傷を付けることは、不可能な状況である。
【０００５】
さらに、前記フォトフレームを飾るには、表示面の裏側に、様々な形式の「支持部」や「スタンド」を設けて、自立させる方法も存在する。
【先行技術文献】
【特許文献】
【０００６】
【特許文献１】実開平１−９０４２９号公報
【特許文献２】特開２００９−２２３７７号公報
【発明の概要】
【発明が解決しようとする課題】
【０００７】
しかしながら、上記従来の簡易机は、その物品の機能面を最重要視したものであり、その物品に施された意匠を部屋のインテリアアートとして、利用することを主としておらず、単に机としての天面のデザイン柄のバリエーションとして、意匠面をとらえている物品であったことは、構造上から考慮しても明白である。
【０００８】
また、上記従来の簡易机は、意匠を見せる方法としては単に、水平に置いたり、段差のある場所に斜めになる様に置いたり、自立する構造がないので、壁面やソファーの背もたれなどに立てかけて、滑り倒れないように注意しながら意匠面を立てた状態にし、保持しなければならなく、自然に倒れてしまう心配もあり、必然的に設置場所が限定されるといった構造上の課題を有していた。
【０００９】
ところで、近年、熟年層に多かった購入者層に加え、今まで少なかった購入層である若年層もアート作品を購入し、飾る場所に困るぐらい、多数の作品を壁一面に飾り、アート作品を手元に置いて、身近に楽しむ状況があり、これらの状況は公共放送情報番組でも話題に取り上げ、多数のアート作品が生活の中で身近にあふれているライフスタイルがすでに定着していることが報道されている。
【００１０】
そこで、この発明は、このような状況や、上記従来品の課題を解決するものであり、天板に保持された表示物をインテリアアートとして、設置場所を限定されず、自由に飾ることができ、しかも簡易机としての機能を損なうことなく、独自の自立構造を有し、転倒しにくいものとした多機能簡易トレイを提供することを目的としてなされたものである。
【課題を解決するための手段】
【００１１】
この発明の多機能簡易トレイは、天板１の表面に、表示物２を保持するようにした保持体３を設けたものとし、天板１の裏面に、移動可能な充填物４を充填することによって変形可能とした袋体５を設け、この袋体５の内部において、前記天板１を自立可能な状態にする支持脚６をこの天板１の裏面に設けたものとしている。
【００１２】
この発明の多機能簡易トレイにおいて、前記支持脚６を一本の棒状体１３とし、この棒状体１３の一端を天板１の裏面に取り付け、前記棒状体１３の他端を支持部としている。
【００１３】
この発明の多機能簡易トレイにおいて、前記支持脚６を略く字状に折曲した板状体１４とし、この板状体１４の上半部１４ａを天板１の裏面に取り付け、前記板状体１４の下半部１４ｂの下端を支持部としている。
【００１４】
この発明の多機能簡易トレイにおいて、前記支持脚６を略Ｓ字状に折曲した板状体１５とし、この板状体１５の上部１５ａを天板１の裏面に取り付け、前記板状体１５の下端縁１５ｂを支持部としている。
【００１５】
この発明の多機能簡易トレイにおいて、前記支持脚６を球状体１６とし、この球状体１６の前球面１６ａを天板１の裏面に取り付け、前記球状体１６の下球面１６ｂを支持部としている。
【００１６】
さらに、この発明の多機能簡易トレイにおいて、前記支持脚６を天板１の裏面の中央下部に取り付けたものとしている。
【００１７】
この発明の多機能簡易トレイにおいて、前記支持脚６を天板１の裏面の片端下部に取り付けたものとしている。
【００１８】
この発明の多機能簡易トレイにおいて、前記支持脚６を天板１の裏面の両端下部に取り付けたものとしている。
【発明の効果】
【００１９】
この発明の多機能簡易トレイは、以上に述べたように構成されており、天板に保持された表示物をインテリアアートとして、設置場所を限定されず、自由に飾ることができ、しかも簡易机としての機能を損なうことなく、独自の自立構造を有し、転倒しにくいものとなった。
【図面の簡単な説明】
【００２０】
【図１】この発明の多機能簡易トレイの天板を自立させた状態を、表側から見た斜視図である。
【図２】この発明の多機能簡易トレイの天板を自立させた状態を、裏側から見た斜視図である。
【図３】この発明の多機能簡易トレイの袋体を透明にし、袋体内部の移動可能な充填物が見えるようにした内部状態斜視図である。
【図４】この発明の多機能簡易トレイの袋体及び袋体内部の移動可能な充填物を透明にし、支持脚が見えるようにした内部状態斜視図である。
【図５】この発明の多機能簡易トレイの袋体及び袋体内部の移動可能な充填物を透明にし、支持脚が見えるようにした内部状態側面図である。
【図６】この発明の多機能簡易トレイの支持脚の他の例を示す内部状態斜視図である。
【図７】この発明の多機能簡易トレイの支持脚のさらに他の例を示す内部状態斜視図である。
【図８】この発明の多機能簡易トレイの支持脚のさらに他の例を示す内部状態側面図である。
【図９】この発明の多機能簡易トレイの支持脚のさらに他の例を示す内部状態側面図である。
【図１０】この発明の多機能簡易トレイの支持脚の天板の裏面への設置状態の他の例を示す内部状態斜視図である。
【図１１】この発明の多機能簡易トレイの支持脚の天板の裏面への設置状態のさらに他の例を示す内部状態斜視図である。
【発明を実施するための形態】
【００２１】
以下、この発明の多機能簡易トレイを実施するための形態を、図面に基づいて詳細に説明する。
【００２２】
この発明の多機能簡易トレイは、天板１の表面には、書画や写真等の表示物２を保持するようにした保持体３を設けたものとしている。そして、天板１の裏面には、移動可能な充填物４を充填することによって変形可能とした袋体５を設けたものとしている。さらに、前記袋体５の内部において、前記天板１を自立可能な状態にする支持脚６を、この天板１の裏面に設けたものとしている。
【００２３】
天板１は、例えば縦３０〜４０ｃｍ程度、横４５〜５５ｃｍ程度の矩形状に形成したものとし、使用者が膝を伸ばして床面に座ったり、使用者が膝を曲げて椅子に座ったりして、両膝の上に載せた場合に、この使用者の両膝の上から少し食みだす程度も大きさにするのが、使用し易くて好ましい。そして、前記保持体３は、この天板１の表面周囲に固着または着脱自在とした取り付けた保持枠からなるものとし、この保持枠に前記表示物２を嵌め込むようにしている。前記保持体３は、例えば下面の四隅に面接着ファスナー（図示せず）の一方を取り付けたものとし、この面接着ファスナーの一方を天板１の表面の四隅に取り付けた面接着ファスナーの他方と接着させたり、離脱させることにより、着脱自在とすることができる。さらに、前記保持体３は、下面の四隅に突起物（図示せず）を設けたものとし、この突起物を天板１の表面の四隅に設けた嵌合穴（図示せず）に嵌め込んだり、外したりすることにより、着脱自在とすることもできる。また、前記保持体３は、詳細には説明しないが、磁石やネジ、ツメ等を用いて、着脱自在とすることもできる。さらに、前記保持体３は、上面を開放したものとしてもよいが、ガラス板やアクリル板等の透明板（図示せず）を嵌め込むなどして、この透明板で上面を覆ったものとすることもできる。このようにすると、使用時に表示物２の上に飲食物等をこぼしたりした場合にも表示物２を汚したり、濡らしたりすることがないものとなる。
【００２４】
表示物２は、一般的には紙面や布面に描いたり印刷した書画や写真等としているが、使用者が趣味で作った押し花やキルティング作品等としたり、子供の教育用としたアルファベット表や九九の表など学習に役立つ情報を表示した物等とすることができる。すなわち、この発明でいう表示物２とは、使用者が興味を引くもので、保持体３に保持できる程度の薄手の表示物であればよい。なお、前記表示物２の上には、透明の押え板（図示せず）を載せておくことができ、この押え板と天板１との間に表示物２を挟み込んだものとすることができる。このようにすると、表示物２が天板１から浮き上がらず、保持体３に保持し易いものとなる。また、使用中に飲食物等をこぼした場合にも表示物２を汚したり、濡らしたりすることがないものとなる。さらに、前記表示物２は、透明のラミネートフィルムで被覆するなどして、防水性を有するものとすることもできる。このようにすると、表示物２の上に押え板を載せておかなくても、表示物２が浮き上がらず、保持体３に保持し易いものとなる。また、使用中に飲食物等をこぼした場合にも表示物２を汚したり、濡らしたりすることがないものとなる。
【００２５】
充填物４は、例えば直径を１〜１０ｍｍ程度にした合成樹脂製のビ−ズ、もみ殻、木片、植物の種などの粒状体からなるものとし、弾性変形するものでもあっても、しないものであってもよい。このようにすると、例えば前記袋体５を使用者の膝の上に載せると、充填物４が袋体５内で移動して、この袋体５が使用者の膝に沿った形状に容易に変形し、使用者の膝の上で袋体５が安定した状態となり、簡易机として使用し易いものとなる。なお、前記充填物４は、弾性変形するものとすると、使用者の膝の上に載せたときに荷重がかかって変形する場合があり、使用者の膝の上で袋体５が揺れるなどして安定した状態とならず、簡易机として使用し難いものとなるので、弾性変形しないものとするのが好ましい。
【００２６】
袋体５は、変形可能としたものとしており、例えば織布、不織布等の布地、薄手の天然皮革、合成皮革等の生地からなるものとし、伸縮するものでもあっても、しないものであってもよい。なお、前記袋体５は、伸縮するものとすると、使用者の膝の上に載せたときに荷重がかかって伸縮する場合があり、使用者の膝の上で袋体５が揺れるなどして安定した状態とならず、簡易机として使用し難いものとなるので、伸縮しないものとするのが好ましい。
【００２７】
支持脚６は、図４、５に示したように、天板１の裏面に取り付けた取付板１１の下端に、略コ字状に折曲した線材１２の両端を取り付けたものとして、その側面視形状を略く字状としたものとし、その下端を支持部としている。さらに、前記支持脚６は、図６に示したように、一本の棒状体１３とし、この棒状体１３の一端を天板１の裏面に取り付け、前記棒状体の他端を支持部としている。また、前記支持脚６は、図７に示したように、略く字状に折曲した板状体１４とし、この板状体１４の上半部１４ａを天板１の裏面に取り付け、前記板状体１４の下半部１４ｂの下端を支持部としている。さらに、前記支持脚６は、図８に示したように、略Ｓ字状に折曲した板状体１５とし、この板状体１５の上部１５ａを天板１の裏面に取り付け、前記板状体１５の下端縁１５ｂを支持部としている。また、前記支持脚６は、図９に示したように、球状体１６とし、この球状体１６の前球面１６ａを天板１の裏面に取り付け、前記球状体１６の下球面１６ｂを支持部としている。
【００２８】
そして、支持脚６は、図４〜９に示したように、天板１の裏面の中央下部に取り付けたものとしている。このようにすると、前記袋体５内に充填物４を充填する場合に、支持脚６が嵩むことがないので邪魔になることなく、また後に述べるように、この発明の多機能簡易トレイをインテリアアートとして使用する場合は、自立可能な状態で立て掛けておくのにバランスの良いものとなる。なお、後に述べるように簡易机として使用する場合には、前記支持脚６が使用者の両膝の間に位置するので、その使用時に場所的に邪魔になることはないが、使用者の両膝に接触しにくくするために、支持脚６を横幅の狭いものにするのが好ましい。
【００２９】
さらに、支持脚６は、図１０に示したように、天板１の裏面の片端下部に取り付けたものとすることができる。このようにすると、前記袋体５内に充填物４を充填する場合に、支持脚６が嵩むことがないので邪魔になることなく、また後に述べるように、この発明の多機能簡易トレイを簡易机として使用する場合には、前記支持脚６が使用者の片膝の外方に位置するので、その使用時に場所的に邪魔になることはない。なお、後に述べるようにインテリアアートとして使用する場合は、自立可能な状態で立て掛けておくのにバランスが悪くならないように支持脚６を幅の広いものにするのが好ましい。
【００３０】
また、支持脚６は、図１１に示したように、天板１の裏面の両端下部に取り付けたものとすることができる。このようにすると、前記袋体５内に充填物４を充填する場合に、支持脚６が嵩むことがないので邪魔になることなく、また後に述べるように、この発明の多機能簡易トレイをインテリアアートとして使用する場合は、自立可能な状態で立て掛けておくのに、よりバランスの良いものとなる。なお、後に述べるように簡易机として使用する場合には、前記支持脚６が使用者の両膝の外方に位置するので、その使用時に場所的に邪魔になることはないが、支持脚６と使用者の膝の間のゆとりを確保するために、天板１の幅を少し広めにしておくのが好ましい。
【００３１】
なお、支持脚６は、図４〜１１に示した実施形態以外にも好ましい形態として実施することができ、これらの実施形態に限定されるものでないことは言うまでもない。
【００３２】
この発明の多機能簡易トレイは、以上に述べたように構成されているので、これを使用するには、次のようにして行う。
【００３３】
先ず、使用者は、多機能簡易トレイの袋体５側を下にして手で軽く振り、天板１に設けた支持脚６を使用者の手前または向こう側にして、両膝の近辺にそっと載せる。すると、袋体５内で充填物４が移動し、この袋体５の両膝の近辺との接触部の形状が、その両膝の近辺に沿った形状に変形するので、安定した状態として多機能簡易トレイを両膝の近辺に載せておくことができる。
【００３４】
この状態で使用者は、透明板や押え板の上に書物や筆記具を載せて、読書きをしたり、これらの上に飲食物を載せたりして、その飲食物を飲食する。この場合、保持枠からなる保持体３は、書物や筆記具、飲食物のストッパーとなり、これらが滑って、天板１の上から落下するのを防止することができる。
【００３５】
さらに、この発明の多機能簡易トレイは、読書きや飲食等に使用しない場合には、表示物２が自然と眼に入るので、その表示物２をそのまま鑑賞することができる。また、インテリアアートとして使用する場合には、天板１の裏面に設けた支持脚６を下にして、そのままも天板１を立てれば、前記各図に示したように、天板１が自立可能な状態に保たれるので、部屋の隅や飾り棚等に飾っておけばよい。
【００３６】
以上に述べたように、この発明の多機能簡易トレイは、自立させることにより、膝の上に載せて使用するという簡易机としての用途だけでなく、「アート」作品を入れて、癒しをつくるインテリアアートとしての用途を持ったものとなる。
【００３７】
さらに、この発明の多機能簡易トレイは、「フォトフレーム」のように写真立てとしての用途を持ち、お気に入りの「写真」を入れたりして、楽しむこともできる。
【００３８】
また、この発明の多機能簡易トレイは、自立させるのに「スタンド」のような、別部品が必要ないので、どこへでも、安心して置くことができ、従来のように、滑り倒れると言った心配から解消されるものとなった。
【００３９】
この発明の多機能簡易トレイは、このように自立させることができるので、壁に取り付ける必要がなくなり、置く場所を限定されないので、室内のインテリアアートとして、使用者の好みに合わせて、自由な場所に設置することができる。そのため、最近のインテリアトレンドのようにフロアーも部屋の演出する場所として使うことができ、新しいインテリアデザインを創造することができるものとなった。
【００４０】
さらに、この発明の多機能簡易トレイは、使用者が、例えばソファーの上やフロアーなどの日頃使用するであろうとする場所の近くに置くことができ、手の届くところに置いておくと、いつでも、使用したい時にすぐに使用できると言う、利便性がさらに向上するものとなった。
【００４１】
以上に述べたこの発明の多機能簡易トレイは、単に便利な道具として捉えられ、膝上のテーブルとして使用し、使用後は水平に置いたり壁に立てかけ邪魔にならないように部屋のすみによせたりして保管収納していた従来の多機能簡易トレイとは比較ならないほど優れた効果を有するものとなった。
【００４２】
すなわち、この発明の多機能簡易トレイは、袋体５の内部に支持脚６を内蔵し外観的にデザイン性を損なわないで、「自立機能」を持たせたことにより、より積極的に部屋のインテリアとしての利用が可能になり、ラップトップテーブルとしての便利な機能だけでなく、癒しを与える部屋のインテリアとして、新しい付加価値を備えた、全く新しい価値を創造するものに生まれ変わった。
【符号の説明】
【００４３】
１  天板
２  表示物
３  保持体
４  充填物
５  袋体
６  支持脚
１３  棒状体
１４  板状体
１４ａ  上半部
１４ｂ  下半部
１５  板状体
１５ａ  上部
１５ｂ  下端縁
１６  球状体
１６ａ  前球面
１６ｂ  下球面
【図１】
2014018991.tif 000003
【図２】
2014018991.tif 000004
【図３】
2014018991.tif 000005
【図４】
2014018991.tif 000006
【図５】
2014018991.tif 000007
【図６】
2014018991.tif 000008
【図７】
2014018991.tif 000009
【図８】
2014018991.tif 000010
【図９】
2014018991.tif 000011
【図１０】
2014018991.tif 000012
【図１１】
2014018991.tif 000013